(57)【要約】      （修正有）【課題】今後発売される各種のレーザープリンタ、ＬＥＤプリンタなどのページ単位で印刷するページプリンタにおいて、名刺単枚用紙に名刺情報を印刷する名刺単枚用給紙アタッチメント及びこれを用いたページプリンタを提供する。【解決手段】給紙トレイ１１０は、用紙サポータ１１０ａと手差しガイド１１０ｂを有しており、用紙サポータ１１０ａが、引き出された状態で、手差しガイド１１０ｂの間に、名刺単枚用給紙アタッチメント１０が搭載される。名刺単枚用給紙アタッチメント１０に収納された名刺単枚用紙Ｐは、給紙ローラによりページプリンタ１００の内部に移送され、名刺データが印刷され、排紙トレイ１２０に移送される。また、各種のレーザープリンタ、ＬＥＤプリンタの給紙、排紙、搬送などの構造に合わせ適切でプリンタに負担をかけない給紙、排紙アタッチメントの仕様とする。【選択図】図２
0003219479.tif 000002
【実用新案登録請求の範囲】
【請求項１】
ページプリンタのトレイに着脱自在に搭載され、前記ページプリンタに入力された名刺データを、名刺単枚用紙に印刷するように形成された名刺単枚用給紙アタッチメントであって、
給紙方向が開口となっている底部と、前記底部の一方の外側の端部から上方に一体的に形成されている第１の側部と、前記底部の他方の外側の端部から上方に一体的に形成されている第２の側部と、を有し、
前記名刺単枚用紙は、前記底部、前記第１の側部及び前記第２の側部に収納されるように形成されていることを特徴とする名刺単枚用給紙アタッチメント。
【請求項２】
前記底部は、第１の底部と、前記第１の底部と一体的に形成されている第２の底部と、前記第１の底部と対向し前記第２の底部と一体的に形成されている第３の底部を有し、前記第１の底部と前記第２の底部と前記第３の底部は、コの字状に形成されており、
前記第１の側部は、前記第１の底部の外側の端部から上方に一体的に形成されており、
前記第２の側部は、前記第３の底部の外側の端部から上方に一体的に形成されていることを特徴とする請求項１に記載の名刺単枚用給紙アタッチメント。
【請求項３】
請求項１または請求項２に記載の名刺単枚用給紙アタッチメントを搭載したことを特徴とするページプリンタ。
【請求項４】
排紙トレイを有し、前記排紙トレイは、着脱自在に搭載される名刺用排紙アタッチメントを有しており、前記名刺用排紙アタッチメントは、前記名刺単枚用紙が排出される方向の左側面をガードするように設けられていることを特徴とする請求項３に記載のページプリンタ。
【請求項５】
コピー機能を有し、
前記コピー機能で読み取られた原稿名刺が、前記名刺単枚用給紙アタッチメントに収納された名刺単枚用紙に印刷されることを特徴とする請求項３または請求項４に記載のページプリンタ。
【考案の詳細な説明】
【技術分野】
【０００１】
本考案は、名刺単枚用給紙アタッチメント及びこれを用いたページプリンタに関する。
【背景技術】
【０００２】
名刺の作成において、例えば、パソコンなどを用いてＡ４サイズの用紙に複数枚分の名刺をプリントし、名刺サイズに裁断する方法が普及している。また、名刺一枚単位で名刺単枚用紙に印刷できるプリンタとしては、リボン方式とインクジェット方式が利用されており、リボン方式は、インクリボンをサーマルヘッドで溶かして用紙に印刷する方式であり、インクジェット方式は、粒子化したインクを用紙に直接噴きつけて印刷をする方式である。
【先行技術文献】
【特許文献】
【０００３】
【特許文献１】特開平１１−３３４２６１号公報
【考案の概要】
【考案が解決しようとする課題】
【０００４】
上記のリボン方式は、印刷は、きれいで各種の名刺単枚用紙に印刷できることから印刷会社などで使用されているが、プリンタが高価であり、フルカラー不可という問題があり、また、使用後のリボンの取り扱いで個人情報などの問題点もある。インクジェット方式は、スピード面、操作性から企業社内で利用されているものの、インクジェット専用紙のみに限られており種類も少なく、普通紙だとにじみや品質に問題があり使用できないという問題がある。ページプリンタでの名刺印刷は、主に、Ａ４名刺用紙に１０面付けし、印刷後裁断機でカットするという方法であり、この方法は効率的で、普通の用紙が利用できるものの、特殊な単枚用紙や型押し名刺用紙、ロゴマーク印刷済み用紙に、名前などを印刷する追い刷りなどはできないという問題がある。
【０００５】
本考案は、こうした点に鑑みてなされたものであり、レーザープリンタ、ＬＥＤプリンタなどのページ単位で印刷するページプリンタにおいて、名刺一枚単位（単枚）で名刺単枚用紙に名刺情報を印刷することができる仕組（給排紙アタッチメント）である。
【課題を解決するための手段】
【０００６】
上記課題を解決するために、本考案に係る名刺単枚用給紙アタッチメントは、ページプリンタのトレイに着脱自在に搭載され、前記ページプリンタに入力された名刺データを、名刺単枚用紙に印刷するように形成された名刺単枚用給紙アタッチメントであって、給紙方向が開口となっている底部と、前記底部の一方の外側の端部から上方に一体的に形成されている第１の側部と、前記底部の他方の外側の端部から上方に一体的に形成されている第２の側部と、を有し、前記名刺単枚用紙は、前記底部、前記第１の側部及び前記第２の側部に収納されるように形成されていることを特徴とする。
【０００７】
本考案に係る名刺単枚用給紙アタッチメントの態様について、前記底部は、第１の底部と、前記第１の底部と一体的に形成されている第２の底部と、前記第１の底部と対向し前記第２の底部と一体的に形成されている第３の底部を有し、前記第１の底部と前記第２の底部と前記第３の底部は、コの字状に形成されており、前記第１の側部は、前記第１の底部の外側の端部から上方に一体的に形成されており、前記第２の側部は、前記第３の底部の外側の端部から上方に一体的に形成されていることが好ましい。
【０００８】
上記課題を解決するために、本考案に係るページプリンタは、上記の名刺単枚用給紙アタッチメントを搭載したことを特徴とする。本考案に係るページプリンタの態様について、排紙トレイを有し、前記排紙トレイは、着脱自在に搭載される名刺用排紙アタッチメントを有しており、前記名刺用排紙アタッチメントは、前記名刺単枚用紙が排出される方向の左側面をガードするように設けられていることが好ましい。また、拡張機能としてはコピー機能を有し、前記コピー機能で読み取られた原稿名刺が、前記名刺単枚用給紙アタッチメントに収納された名刺単枚用紙に印刷されることが好ましい。
【考案の効果】
【０００９】
本考案によれば、レーザープリンタ、ＬＥＤプリンタなどのページ単位で印刷するページプリンタにおいて、名刺一枚単位で名刺単枚用紙に名刺情報を印刷することができる名刺単枚用給紙アタッチメント及びこれを用いたページプリンタを提供することができる。
【図面の簡単な説明】
【００１０】
【図１】実施形態の名刺単枚用給紙アタッチメントの一例を示す模式図である。
【図２】実施形態の名刺単枚用給紙アタッチメントを用いたページプリンタの一例を示す参考図である。
【図３】実施形態の名刺単枚用給紙アタッチメントの他の一例を示す参考図である。
【考案を実施するための形態】
【００１１】
以下、本考案の名刺単枚用給紙アタッチメント及びそれを用いたページプリンタについて図１から図３を用いて説明する。なお、名刺単枚とは、名刺一枚単位の名刺用紙であり、各名刺サイズに1枚1枚切り離されている名刺用紙のことである。
【００１２】
図１（ａ）は、名刺単枚用給紙アタッチメント１０の一例を示す斜視図であり、図１（ｂ）は、図１（ａ）に示す名刺単枚用給紙アタッチメント１０を上から見た模式図であり図１（ｃ）は、図１（ａ）に示す名刺単枚用給紙アタッチメント１０を第１の側部２０ａの方向から見た模式図であり、図１（ｄ）は、図１（ａ）に示す名刺単枚用給紙アタッチメント１０を第２の側部２０ｂの方向から見た模式図である。図２（ａ）は、名刺単枚用給紙アタッチメント１０が、給紙トレイ１１０に搭載されている一例を示す参考図であり、図２（ｂ）は、ページプリンタ１００に、図２（ａ）に示す名刺単枚用給紙アタッチメント１０が搭載されている一例を示す参考図である。図２（ｃ）は、名刺用排紙アタッチメント２０の一例を示す参考図であり、図２（ｄ）は、ページプリンタ１００の排紙トレイ１２０に、図２（ｃ）に示す名刺用排紙アタッチメント２０が搭載されている一例を示す参考図である。図３は、名刺単枚用給紙アタッチメント１０の一例を示す参考図である。
【００１３】
名刺単枚用給紙アタッチメント１０は、ページプリンタ１００のトレイの一例である給紙トレイ１１０に、着脱自在に搭載されるように形成されている。名刺単枚用給紙アタッチメント１０は、給紙トレイ１１０に搭載され、一または複数の名刺単枚用紙Ｐが収納された状態で、名刺単枚用紙Ｐに、ページプリンタ１００に入力された名刺データを印刷するためのものである。
【００１４】
名刺単枚用給紙アタッチメント１０は、底部１１を有し、この底部１１は、第１の底部１１ａ、第１の底部１１ａと一体的に形成されている第２の底部１１ｂ、及び第２の底部１１ｂと一体的に形成されている第３の底部１１ｃを有しており、第１の底部１１ａと第３の底部１１ｃは、対向するように形成されている。また、名刺単枚用給紙アタッチメント１０は、第１の底部１１ａと第２の底部１１ｂと第３の底部１１ｃが、コの字状になるように形成されており、第１の底部１１ａと第２の底部１１ｂと第３の底部１１ｃに囲まれている開口Ｋを有している。
【００１５】
名刺単枚用給紙アタッチメント１０は、さらに、第１の底部１１ａの外側の端部から上方に一体的に形成されている第１の側部１２ａと、第３の底部１１ｃの外側の端部から上方に一体的に形成されている第２の側部１２ｂを有している。
【００１６】
名刺単枚用紙Ｐは、名刺単枚用給紙アタッチメント１０の底部１１に載置され、第１の側部１２ａ、第２の側部１２ｂの間に嵌め込まれるようにして収納される。
【００１７】
名刺単枚用給紙アタッチメント１０は、第２の底部１１ｂの内側の端部から下方に一体的に形成されているフック部１３を有してもよい。また、第１の側部１２ａの長手方向の長さは、第２の側部１２ｂの長手方向の長さより、長くなるように形成されていてもよい。
【００１８】
次に、上記の構成を有する名刺単枚用給紙アタッチメント１０を搭載したページプリンタ１００について説明する。
【００１９】
ページプリンタ１００は、トレイの一例である用紙を給紙するための給紙トレイ１１０と印刷された用紙を排紙するための排紙トレイ１２０を有している。
【００２０】
給紙トレイ１１０は、用紙サポータ１１０ａと手差しガイド１１０ｂを有しており、用紙サポータ１１０ａが、引き出された状態で、手差しガイド１１０ｂの間に、名刺単枚用給紙アタッチメント１０が搭載される。
【００２１】
上記のとおり名刺単枚用給紙アタッチメント１０が、給紙トレイ１１０に搭載された状態で、一または複数の名刺単枚用紙Ｐが、名刺単枚用給紙アタッチメント１０に収納される。なお、名刺単枚用給紙アタッチメント１０に収納することができる複数の名刺単枚用紙Ｐは、２５枚、５０枚または１００枚であることが望ましいが、これに限定されず適宜最適な枚数になるように構成するとよい。
【００２２】
名刺単枚用給紙アタッチメント１０に収納された名刺単枚用紙Ｐは、例えば、給紙ローラによりページプリンタ１００の内部に移送され、名刺データが印刷され、排紙トレイ１２０に移送される。ページプリンタ１００で印刷された名刺単枚用紙Ｐを排紙するための排紙トレイ１２０は、着脱自在に搭載される名刺用排紙アタッチメント２０を有しており、この名刺用排紙アタッチメント２０は、名刺単枚用紙Ｐが排出される方向の左側面をガードするように設けられている。すなわち、名刺用排紙アタッチメント２０は、排紙トレイ１２０から排出された名刺単枚用紙Ｐが排出方向の左側に向かわないように排紙トレイ１２０に搭載されている。
【００２３】
また、ページプリンタ１００は、コピー機能を有している構成であってもよく、このコピー機能を有するページプリンタ１００によって、原稿名刺をコピー機能で読み取らせることで、名刺単枚用給紙アタッチメント１０に収納された名刺単枚用紙Ｐに印刷させてもよい。このような機能により、例えば、必要な名刺を簡易に作成することができる。
【００２４】
本考案の名刺単枚用給紙アタッチメント及びそれを用いたページプリンタは、レーザープリンタ、ＬＥＤプリンタなどのページ単位で印刷するページプリンタにおいて、名刺一枚単位で名刺単枚用紙に名刺情報を印刷することができるという顕著な効果を有するものであり、また、名刺台紙、ロゴマーク印刷済み用紙に、名前などを追い刷りすることができるものである。このような本考案は、従来の問題点を解決し、改善し、例えば普通紙での名刺単体印刷を精度よく美しく印刷することができ、ローコストでフルカラーの印刷ができる優れたものである。
【００２５】
以上、本考案の有する特徴及び優れた点を上記実施形態に記載したが、本考案は、本願の実用新案請求の範囲で使用されている言葉を広く一般的な意味に拡張して実施することができる。
【００２６】
また、本考案の名刺単枚用給紙アタッチメント及びそれを用いたページプリンタは、大きさ、形状、素材の種類、厚さ、重さなどについては多様な実施形態が可能であり、それらについて本実施形態と異なる形態による実施は、本考案の技術的範囲に含まれる。
【符号の説明】
【００２７】
１０      名刺単枚用給紙アタッチメント
１１      底部
１１ａ    第１の底部
１１ｂ    第２の底部
１１ｃ    第３の底部
１２ａ    第１の側部
１２ｂ    第２の側部
１３      フック部
Ｋ        開口
２０      名刺用排紙アタッチメント
１００    ページプリンタ
１１０    給紙トレイ
１１０ａ  用紙サポータ
１１０ｂ  手差しガイド
１２０    排紙トレイ
Ｐ        名刺単枚用紙
【図１】
0003219479.tif 000003
【図２】
0003219479.tif 000004
【図３】
0003219479.tif 000005